(57)【要約】      （修正有） 【課題】ブックショップ等各種の店舗で値札等を立てて表示するための表示用スタンドとして、当該値札等の札の表示形態に著しく多様性を持たせることができるようにした新しいタイプのスタンドの提供。【解決手段】折曲げ可能とする材料で製しかつ所要長さを具えたスタンド構成用薄板Ｍの先端寄りに、所定の表示用札の端を挟み込むための切り溝ｍを設け、当該スタンド構成用薄板Ｍの全長間に、基端からＳ1の距離に第１折曲げ線１ａを設けて第一板部１とし、また、これからＳ2の距離を保って第２折曲げ線２ａを設けて第二板部２とし、また、これからＳ3の距離を保って第３折曲げ線４ａを設けて第四板部４とし、残りの距離Ｓ5を保って先端までに至る部分に第五板部５を設け、各折曲げ線の所要の折曲げに基づき、必要とする形態でのスタンドとして変形させるように構成する。【選択図】図１
0003130937.tif 000002
【実用新案登録請求の範囲】
【請求項１】
折曲げ可能とする材料で製しかつ所要長さを具えたスタンド構成用薄板(Ｍ)の先端寄りに、所定の表示用札の端を挟み込むための切り溝(ｍ)を設け、当該スタンド構成用薄板(Ｍ)の全長間に、基端からＳ1の距離に第１折曲げ線(１ａ)を設けて第一板部(１)を形成し、また、これからＳ2の距離を保って第２折曲げ線(２ａ)を設けて第二板部(２)を形成し、また、これからＳ3の距離を保って第３折曲げ線(３ａ)を設けて第三板部(３)を形成し、更に、これからＳ4の距離を保って第４折曲げ線(４ａ)を設けて第四板部(４)を形成し、残りの距離Ｓ5を保って先端までに至る部分を第五板部(５)とし、
第一板部板(1)部分はスタンドの脚部構成板部としての役割を果し、第二板部(２)部分は寸法調節用予備折曲げ板部としての役割を果し、第三板部(３)は及び第四板部(４)は折返し用板部としての役割を果し、第五板部(５)は表示札挟み込み用板部としての役割を、夫々主として果すように構成し、
更に、各折曲げ線の所要の折曲げに基づき、必要とする形態でのスタンドとして変形させるように構成した表示用スタンド。
【請求項２】
折曲げ可能とする材料で製しかつ所要長さを具えたスタンド構成用薄板(Ｍ)の先端寄りに、所定の表示用札の端を挟み込むための切り溝(ｍ)を設け、当該スタンド構成用薄板(Ｍ)の全長間に、基端からＳ1の距離に第１折曲げ線(１ａ)を設けて第一板部(１)を形成し、また、これからＳ2の距離を保って第２折曲げ線(２ａ)を設けて第二板部(２)を形成し、また、これからＳ3の距離を保って第３折曲げ線(３ａ)を設けて第三板部(３)を形成し、更に、これからＳ4の距離を保って第４折曲げ線(４ａ)を設けて第四板部(４)を形成し、残りの距離Ｓ5を保って先端までに至る部分を第五板部(５)とし、
スタンド構成用薄板(M)の全長Ｌを３００ｍｍとし、距離Ｓ1を７０ｍｍ、距離Ｓ2を２０ｍｍ、距離Ｓ3を６０ｍｍ、距離Ｓ4を４０ｍｍ、残りの距離Ｓ5を１１０ｍｍとするように設定し、各折曲げ線の所要の折曲げに基づき、必要とする形態でのスタンドとして変形させるように構成した表示用スタンド。
【請求項３】
スタンド構成用薄板(Ｍ)を厚紙で製した請求項１または請求項２の何れかに記載の表示用スタンド。  
【請求項４】
スタンド構成用薄板(Ｍ)を合成樹脂材料で製した請求項１または請求項２の何れかに記載の表示用スタンド。
【請求項５】
スタンド構成用薄板(Ｍ)を透明ペット材料で製した請求項１または請求項２の何れかに記載の表示用スタンド。
【請求項６】
第五板部(５)の表面部分に所要の広告宣伝のための印刷面５ａを予め形成しておくように構成した請求項１乃至請求項５のいずれかに記載の表示用スタンド。
【請求項７】
各折曲げ線を、折曲げの容易性を図った筋押し線として成る請求項１乃至請求項６の何れかに記載の表示用スタンド。
【考案の詳細な説明】
【技術分野】
【０００１】
本考案は、例えばブックショップ等の店舗で値札等のＰＯＰカードを立てて表示するために用いる等、商品陳列に際して使用する表示用スタンドに関するものであって、当該ＰＯＰカードの表示形態に多様性を持たせたものである。
【背景技術】
【０００２】
従来のこの種の表示用スタンドとして、図１３〜図１４に示すようなものがある。これは同図に示すように、板状の樹脂ａにＵの字の切り込みｂが開けられ、そのＵの字形の切り込み部ｂにかかる位置で折曲げｃ、その切り込みｂに原稿写真またはメモｄを差し込んで使用するように構成したものである。（例えば、特許文献１参照。）
【０００３】
【特許文献１】実用新案登録第３１００７８４号公報
【考案の開示】
【考案が解決しようとする課題】
【０００４】
上述したような従来品の場合、表示札の表示形態を一種類とするような限定性が伴うものである。  然し乍、商品の展示販売を行う場合、その展示形態に即応させた表示札の表示形態を採ることが望ましい。  従って、このような従来品のような表示形態が固定化されてしまうものであると、異なった表示形態を採る場合は、新たの別種類のスタンドを準備する必要が生じてしまい、そのため、これを各種取り揃えることにより展示コストが掛かってしまうと言うような問題が生じてしまうこととなった。  
【０００５】
本考案は、一種類のスタンドで極めて多種類の表示形態を任意に採ることができるように構成することにより所謂ＰＯＰ用万能スタンドのような役割を果させ、もって上述したような従来の問題点の解消化を企図し、展示のための低コスト化及び合理化が図られるようにすることを目的とするものである。
【課題を解決するための手段】
【０００６】
本考案は請求項１に記載のように、折曲げ可能とする材料で製しかつ所要長さを具えたスタンド構成用薄板Ｍの先端寄りに、所定の表示用札の端を挟み込むための切り溝ｍを設け、当該スタンド構成用薄板Ｍの全長間に、基端からＳ1の距離に第１折曲げ線１ａを設けて第一板部１を形成し、また、これからＳ2の距離を保って第２折曲げ線２ａを設けて第二板部２を形成し、また、これからＳ3の距離を保って第３折曲げ線３ａを設けて第三板部３を形成し、更に、これからＳ4の距離を保って第４折曲げ線４ａを設けて第四板部４を形成し、残りの距離Ｓ5を保って先端までに至る部分を第五板部５とし、第一板部板1部分はスタンドの脚部構成板部としての役割を果し、第二板部２部分は寸法調節用予備折曲げ板部としての役割を果し、第三板部３は及び第四板部４は折返し用板部としての役割を果し、第五板部５は表示札挟み込み用板部としての役割を、夫々主として果すように構成し、更に、各折曲げ線の所要の折曲げに基づき、必要とする形態でのスタンドとして変形させるように構成した表示用スタンドに係る。
【０００７】
本考案は請求項２に記載のように、折曲げ可能とする材料で製しかつ所要長さを具えたスタンド構成用薄板Ｍの先端寄りに、所定の表示用札の端を挟み込むための切り溝ｍを設け、当該スタンド構成用薄板Ｍの全長間に、基端からＳ1の距離に第１折曲げ線１ａを設けて第一板部１を形成し、また、これからＳ2の距離を保って第２折曲げ線２ａを設けて第二板部２を形成し、また、これからＳ3の距離を保って第３折曲げ線３ａを設けて第三板部３を形成し、更に、これからＳ4の距離を保って第４折曲げ線４ａを設けて第四板部４を形成し、残りの距離Ｓ5を保って先端までに至る部分を第五板部５とし、スタンド構成用薄板Mの全長Ｌを３００ｍｍとし、距離Ｓ1を７０ｍｍ、距離Ｓ2を２０ｍｍ、距離Ｓ3を６０ｍｍ、距離Ｓ4を４０ｍｍ、残りの距離Ｓ5を１１０ｍｍとするように設定し、各折曲げ線の所要の折曲げに基づき、必要とする形態でのスタンドとして変形させるように構成した表示用スタンドを、実施の具体的態様とするものである。
【０００８】
そして、本考案におけるスタンド構成用薄板Ｍは、請求項３に記載のように厚紙で製したもの、請求項４に記載のように合成樹脂材料で製したもの、更に、請求項５に記載のように透明ペット材料で製したものを、本考案の実施の態様とするものである。
【０００９】
また、請求項６に記載のように、第五板部５の表面部分に所要の広告宣伝のための印刷面５ａを予め形成しておくように構成したものを本考案の実施の態様とするものである。
【００１０】
更に本考案は、請求項７に記載のように、各折曲げ線を、折曲げの容易性を図った筋押し線とすることを実施の態様とするものである。
【考案の効果】
【００１１】
本考案は請求項１に記載のような構成、すなわち、折曲げ可能とする材料で製しかつ所要長さを具えたスタンド構成用薄板Ｍの先端寄りに、所定の表示用札の端を挟み込むための切り溝ｍを設け、当該スタンド構成用薄板Ｍの全長間に、基端からＳ1の距離に第１折曲げ線１ａを設けて第一板部１を形成し、また、これからＳ2の距離を保って第２折曲げ線２ａを設けて第二板部２を形成し、また、これからＳ3の距離を保って第３折曲げ線３ａを設けて第三板部３を形成し、更に、これからＳ4の距離を保って第４折曲げ線４ａを設けて第四板部４を形成し、残りの距離Ｓ5を保って先端までに至る部分を第五板部５とし、第一板部板1部分はスタンドの脚部構成板部としての役割を果し、第二板部２部分は寸法調節用予備折曲げ板部としての役割を果し、第三板部３は及び第四板部４は折返し用板部としての役割を果し、第五板部５は表示札挟み込み用板部としての役割を、夫々主として果すように構成し、各折曲げ線の所要の折曲げに基づき、必要とする形態でのスタンドとして変形させるように構成したから、一つの部材たるスタンド構成用薄板Ｍに対して所要の折曲げを施すことにより、図３に示すＡ乃至Ｈに示すような各種形態のスタンドに転化することが可能とされる。
従って、従来のように展示形態に即応させた各種のスタンドを取り揃える必要が全くなくなるため、展示に要するコストの廉価性が図られると同時に、多種類スタンドの管理と言うような煩雑性が解消され、合理的かつ簡易的な展示システムの採用が可能化される。
【００１２】
本考案は請求項２に記載のような構成、すなわち、折曲げ可能とする材料で製しかつ所要長さを具えたスタンド構成用薄板Ｍの先端寄りに、所定の表示用札の端を挟み込むための切り溝ｍを設け、当該スタンド構成用薄板Ｍの全長間に、基端からＳ1の距離に第１折曲げ線１ａを設けて第一板部１を形成し、また、これからＳ2の距離を保って第２折曲げ線２ａを設けて第二板部２を形成し、また、これからＳ3の距離を保って第３折曲げ線３ａを設けて第三板部３を形成し、更に、これからＳ4の距離を保って第４折曲げ線４ａを設けて第四板部４を形成し、残りの距離Ｓ5を保って先端までに至る部分を第五板部５とし、スタンド構成用薄板１の全長Ｌを３００ｍｍとし、距離Ｓ1を７０ｍｍ、距離Ｓ2を２０ｍｍ、距離Ｓ3を６０ｍｍ、距離Ｓ4を４０ｍｍ、残りの距離Ｓ5を１１０ｍｍとするように設定し、各折曲げ線の所要の折曲げに基づき、必要とする形態でのスタンドとして変形させるように構成することにより、前述したような効果を奏すると共に、ブックショップ等の店舗で値札等を立てて表示するための表示用スタンドとして最適な形態での利用が図られることとなる。
【００１３】
本考案は請求項３に記載のような構成、すなわち、スタンド構成用薄板Ｍを厚紙で製することにより、製造コストの低廉性と製造作業の容易性が図られると共に、所要形態のスタンド形成のための折曲げ作業が簡単に行われることとなる。 
【００１４】
本考案は請求項４に記載のような構成、すなわち、スタンド構成用薄板Ｍを合成樹脂材料で製することにより、スタンドとしての堅牢性が保たれると共に、反復的かつ長期的使用に耐えられ、更に、外観的にも極めて整然としたものとされる。
【００１５】
本考案は請求項５に記載のような構成、すなわち、スタンド構成用薄板Ｍを透明ペット材料で製することにより、外観的に極めてスッキリとした形態とされると共に、展示商品も透過するため、スタンドの存在自体が展示上の邪魔となることがない。  すなわち、材料自体が地球環境に優しく、しかも美麗で高級感を醸し出すことができる。
【００１６】
本考案は請求項６に記載のような構成、すなわち、第五板部５の表面部分に所要の広告宣伝のための印刷面５ａを予め形成しておくことにより、スタンド自体に広告効果を奏させることができる。
【００１７】
本考案は請求項７に記載のような構成、すなわち、各折曲げ線を、折曲げの容易性を図った筋押し線とするように構成することにより、所要形態のスタンド形成のための折曲げ作業の容易化及び簡易化が図られると共に、何度折り曲げても使用できるため、反復利用性に優れたものとされる。
【考案を実施するための最良の形態】
【００１８】
図１及び図２は扁平状態にある本考案に係る表示用スタンドの平面図及び側面図である。  同図に於いて、Ｍは所要長さを具えたスタンド構成用薄板であって、合成樹脂製薄板または厚紙によって形成されたものであり、合成樹脂製薄板の場合は透明材料を使用することが好ましい。  何れにせよ、当該スタンド構成用薄板Ｍは腰がありかつ折曲げ可能とする材料で形成することが重要である。
【００１９】
そして、スタンド構成用薄板Ｍの形成素材として透明ペットを用いることにより、地球環境に優しく、しかも美麗で高級感を具えた表示用スタンドの提供が低コストでの提供を図ることができる。
【００２０】
ｍはスタンド構成用薄板Ｍの先端側に設けた切り溝であって、ＰＯＰカードのような所定の表示用札の端を挟み込むためのものである。  そして、当該切り溝ｍは、その先端寄り部分が開いて表示札の端を挟み込むような円弧状形態に形成されている。
【００２１】
ところで、当該スタンド構成用薄板Ｍであるが、その全長間に、所定の長さ毎に下記するような折曲げ線が形成してある。
【００２２】
すなわち、図１に示すように、スタンド構成用薄板Ｍの基端からＳ1の距離に第１折曲げ線１ａを設けて第一板部１を形成し、また、これからＳ2の距離を保って第２折曲げ線２ａを設けて第二板部２を形成し、また、これからＳ3の距離を保って第３折曲げ線３ａを設けて第三板部３を形成し、更に、これからＳ4の距離を保って第四板部を形成し、残りの距離Ｓ5を保って先端までに至る部分を第五板部５とするように構成してある。  そして、当該距離の具体的数値を示せば、スタンド構成用薄板１の全長Ｌを３００ｍｍとした場合、Ｓ1は７０ｍｍ、Ｓ2は２０ｍｍ、Ｓ3は６０ｍｍ、Ｓ4は４０ｍｍ、残りの距離Ｓ5は１１０ｍｍとするように設定されている。  なお、これは図３に示すようなブックショップでの利用に最適とする寸法設定である。  そして、この場合に使用するＰＯＰ札の大きさは葉書サイズ程度が適している。
【００２３】
また、上記した折曲げ線は図示のように折曲げの容易性を図るための筋押し線とすることが好ましいが、単に線的表示を施しただけの形態で実施するように構成しても良い。  そして、このような筋押し線とすることにより、何度でも折り曲げても使用できることとなる。
【００２４】
上記したような各折曲げ線の形成は、スタンド構成用薄板１を図４乃至図１２に示すような形態に折曲げ、これらを夫々図３にＡ〜Ｈに示すような状態で使用するためのものである。  従って、基端から第１折曲げ線１ａまでの第一板部板1部分はスタンドの脚部構成板部としての役割を果し、以下、第二板部２部分は寸法調節用予備折曲げ板部としての役割を果し、第三板部３は及び第四板部４は折返し用板部としての役割を果し、そして、第五板部５は表示札挟み込み用板部としての役割を、夫々主として果すように構成してある。
【００２５】
図４は本考案に係るスタンドを図３に示すＡ状態とする「雑誌の面陳棚ガラス板に設置した場合」の使用例を表した斜視図である。  この場合、折曲げ線３ａと折曲げ線4ａを折り曲げることによって、第三板部３と第四板部４とで引っ掛けよう逆Ｖ字状折り返し部を形成し、これを雑誌の面陳棚ガラス板に引っ掛けると共に、切り溝ｍに所要の表示用札を挟持させることによって、図１のＡに示すような設置状態で使用することができる。
【００２６】
図５は本考案に係るスタンドを図３に示すＢ状態とする「雑誌棚最前列に設置した場合」の使用例を表した斜視図である。  この場合、折曲げ線4ａで第五板部５を垂下させるように折り曲げ、これを雑誌棚最前列から垂下させると共に、切り溝ｍに所要の表示用札を挟持させることによって、図３のＢに示すような設置状態で使用することができる。  なお、折曲げ線として上記折曲げ線4ａ以外のものの何れかを使用することにより、その垂下する部分の長さを選択的に変更することができる。
【００２７】
図６は本考案に係るスタンドを図３に示すＣ状態とする「棚差し陳列としてスタンドを本サイズに合わせて曲げることにより突出させたＰＯＰとして設置した場合」の使用例を表した斜視図である。  この場合、折曲げ線1ａを直角に折曲げて本のサイズと合致させると共に、切り溝ｍに所要の表示用札を挟持させることによって、図３に示のＣに示すような設置状態で使用することができる。  なお、折曲げ案内用筋押し線として上記折曲げ線１ａ以外のものの何れかを、本のサイズに応じて使用することにより、その突出部分の長さを選択的に変更することができる。
【００２８】
図７は本考案に係るスタンドを図３に示すＤ状態とする「平積み側面を生かす飾り付けとして設置した場合」の使用例を表した斜視図である。  この場合、折曲げ線３ａを直角に折り曲げると共に、切り溝ｍに所要の表示用札を挟持させることによって、図３に示のＣに示すような設置状態で使用することができる。  なお、折曲げ線として上記折曲げ線３ａ以外のものの何れかを、使用することにより、平積み側面からの突出部分の長さを選択的に変更することができる。
【００２９】
図８は本考案に係るスタンドを図３に示すＥ状態とする「平積みＰＯＰスタンドとして、視界を遮ることなく使用するように設置した場合」の使用例を表した斜視図である。  この場合、折曲げ線２ａを直角に折り曲げると共に、切り溝ｍに所要の表示用札を挟持させることによって、図３に示のＤに示すような設置状態で使用することができる。  なお、折曲げ線として上記折曲げ線２ａ以外のものの何れかを、使用することにより、平積み側面からのＰＯＰスタンドとしての突出部分の長さを選択的に変更することができる。
【００３０】
図９は本考案に係るスタンドを「広告宣伝のための印刷を施した状態での設置した場合」の使用例を表した斜視図である。  この場合、第五板部５の表面部分に所要の広告宣伝のための印刷面５ａを予め形成しておくか、これを手書きで書き込むようにしておくものとする。  なお、図９に於いては折曲げ線の１ａ部分で折り曲げて立たせるようにしているが、任意の折曲げ線を選択することにより、その立ち上がり高さを選択的に変更することができる。
【００３１】
図１０は本考案に係るスタンドを図３に示すＦ状態とする「平台に垂らす飾り付け状態で設置した場合」の使用例を表した斜視図である。  この場合、折曲げ線４ａを直角に折り曲げると共に、切り溝ｍに所要の表示用札を挟持させることによって、図３にＦとして示すような設置状態で使用することができる。  なお、折曲げ線として上記折曲げ線４ａ以外のものの何れかを、使用することにより、平台からの垂らし長さの調節を選択的に変更することができる。
【００３２】
図１１は本考案に係るスタンドを図３に示すＧ状態とする「筋部折り曲げて自立型としてレジカウンターに設置した場合」の使用例を表した斜視図である。  この場合、折曲げ線3ａと折曲げ線4ａを折り曲げることによって、第四板部４を迫出し用板部として使用し、折曲げ線1ａで第一板部1を水平に折り曲げることによって設置用板部として機能させて、レジカウンターの上に載置すると共に、切り溝ｍに所要の表示用札を挟持させることによって、図１のＧとして示すような設置状態で使用することができる。  なお、上記折曲げ線1ａに代えて折曲げ線２ａで折り曲げることにより、その高さの調節が図られることとなる。
【００３３】
図１２は本考案に係るスタンドを図３に示すＩ状態とする「「背中合わせにある棚の間に差し込んで立てて設置した場合」の使用例を表した斜視図である。  この場合、折曲げ線1ａと折曲げ線2ａを直角に折り曲げることにより第二板部２を水平状態とし、この部分を棚の縁に乗せると共に、第一板部を１を棚の間に差し込むようにして設置するものである。
【００３４】
図１３は本考案に係るスタンドを図３に示すＨ状態とする「鋏で切取ってミニスタンドとして設置した場合」の使用例を表した斜視図である。  図示の実施例にあっては、折曲げ線３ａ部分で切取ると共に折曲げ線４ａ部分から立ち上がられるように折り曲げると共に、切り溝ｍに所要の表示用札を挟持させることによって、図１のＨに示すような設置状態で使用することができる。  然し乍、切り取り箇所は折曲げ線３ａ部分に限定されるものではなく、他の切り取り線部分、または切取り線部分以外の任意な場所で切断して使用することもできる。  そして、立ち上がられるための折曲げも、折曲げ線４ａ部分に限定されるものではない。  なお、図１２に示す使用例は、鋏を使用してオリジナルスタンドを形成するというような特殊な利用形態を示したものであり、本考案はこのような利用形態を採ることもできる。
【００３５】
本考案は上述したように、扁平状態にあるスタンド構成用薄板Ｍを、図４乃至図１２に示すような形態に適宜折曲げることにより、図３に示すＡ乃至Ｈに示す形態、及び印刷表示がなされた形態でのスタンドとしての利用が図られる。
【００３６】
また、図面に於いてはブックショップでの使用例を表したが、本考案はこれ以外の各種の店舗で使用するＰＯＰ用スタンドとしての利用が図られる。
【図面の簡単な説明】
【００３７】
【図１】扁平状態にある本考案に係るスタンドの平面図である。
【図２】扁平状態にある本考案に係るスタンドの側面図である。
【図３】本考案に係るスタンドの各種使用形態を表した説明用斜視図である。
【図４】本考案に係るスタンドを図３に示すＡ状態とする「雑誌の面陳棚ガラス板に設置した場合」の使用例を表した斜視図である。
【図５】本考案に係るスタンドを図３に示すＢ状態とする「雑誌棚最前列に設置した場合」の使用例を表した斜視図である。
【図６】本考案に係るスタンドを図３に示すＣ状態とする「棚差し陳列としてスタンドを本サイズに合わせて曲げることにより突出させたＰＯＰとして設置した場合」の使用例を表した斜視図である。
【図７】本考案に係るスタンドを図３に示すＤ状態とする「平積み側面を生かす飾り付けとして設置した場合」の使用例を表した斜視図である。
【図８】本考案に係るスタンドを図３に示すＥ状態とする「平積みＰＯＰスタンドとして、視界を遮ることなく使用するように設置した場合」の使用例を表した斜視図である。
【図９】本考案に係るスタンドを「広告宣伝のための印刷を施した状態での設置した場合」の使用例を表した斜視図である。
【図１０】本考案に係るスタンドを図３に示すＦ状態とする「平台に垂らす飾り付け状態で設置した場合」の使用例を表した斜視図である。
【図１１】本考案に係るスタンドを図３に示すＧ状態とする「筋部折り曲げて自立型としてレジカウンターに設置した場合」の使用例を表した斜視図である。
【図１２】本考案に係るスタンドを図３に示すＩ状態とする「背中合わせにある棚の間に差し込んで立てて設置した場合」の使用例を表した斜視図である。
【図１３】本考案に係るスタンドを図３に示すＨ状態とする「鋏で切取ってミニスタンドとして設置した場合」の使用例を表した斜視図である。
【図１４】扁平状態にある従来のスタンドを示す平面図である。
【図１５】使用状態にある従来のスタンドを示す説明用側面図である。
【符号の説明】
【００３８】
Ｍ  スタンド構成用薄板
ｍ  切り溝
１  第一板部
1a  第１折曲げ線
２  第二板部
2a  第２折曲げ線
３  第三板部
3a  第３折曲げ線
４  第四板部
4a  第４折曲げ線
５  第五板部
5a  印刷面
【図１】
0003130937.tif 000003
【図２】
0003130937.tif 000004
【図３】
0003130937.tif 000005
【図４】
0003130937.tif 000006
【図５】
0003130937.tif 000007
【図６】
0003130937.tif 000008
【図７】
0003130937.tif 000009
【図８】
0003130937.tif 000010
【図９】
0003130937.tif 000011
【図１０】
0003130937.tif 000012
【図１１】
0003130937.tif 000013
【図１２】
0003130937.tif 000014
【図１３】
0003130937.tif 000015
【図１４】
0003130937.tif 000016
【図１５】
0003130937.tif 000017